(57)【特許請求の範囲】
【請求項１】
モータハウジングに、一面を外部へ開放し、その開放部からモータの回転を制御するモータ制御用センサを収納可能な収納室を設け、前記収納室に、収納された前記モータ制御用センサに当接する固定ロッドを挿入する一方、前記開放部を跨ぐように電源コードを組み付けて前記固定ロッドを抜け止めすることで、前記固定ロッドを介して前記電源コードにより前記モータ制御用センサを固定した電動工具におけるモータ制御用センサの取付構造。
【請求項２】
前記固定ロッドに、前記電源コードを受けるための彎曲部を形成することを特徴とする請求項１に記載の電動工具におけるモータ制御用センサの取付構造。
【発明の詳細な説明】
【０００１】
【産業上の利用分野】
本発明は、電動工具において、モータの回転制御のために用いられるモータ制御用センサをハウジングへ取り付けるための構造に関するものである。
【０００２】
【従来の技術】
電動工具には、ダイヤル等で指示された数値に従ってモータへの電圧を調整し、その回転制御を行うコントローラを備えるものがある。このコントローラには、モータの回転を監視するため、モータ制御用センサ、例えばモータの回転子に設けられたマグネットの回転による磁界の変化を検知し、その検知信号をコントローラへ入力するピックアップコイル、が接続されているが、このピックアップコイルは、ピックアップコイルを収納したケースを、モータハウジングにおける前記マグネット近傍の所定位置へネジ止めすることで組み付けられていた。
【０００３】
【発明が解決しようとする課題】
上記取付構造においては、ピックアップコイル単独で取付部品や取付の手間が必要となり、コスト面での無駄が生じている。一方電動工具が電動ハンマー等の振動、衝撃工具であると、ビットからの反動がピックアップコイル側へも伝わるが、ピックアップコイルは前記のようにモータハウジングへ固定されるため、その負荷がピックアップコイルのリード線へ加わり、リード線のピックアップコイルへの取付部付近で断線を起こす虞れもある。
【０００４】
【課題を解決するための手段】
そこで本願請求項１に係る発明は、ピックアップコイル等のモータ制御用センサの取付を簡単且つ合理的に行い、加えて断線防止効果も奏されるモータ制御用センサの取付構造を提供するもので、その構成は、モータハウジングに、一面を外部へ開放し、その開放部からモータの回転を制御するモータ制御用センサを収納可能な収納室を設け、前記収納室に、収納された前記モータ制御用センサに当接する固定ロッドを挿入する一方、前記開放部を跨ぐように電源コードを組み付けて前記固定ロッドを抜け止めすることで、前記固定ロッドを介して前記電源コードにより前記モータ制御用センサを固定したことを特徴とするものである。
また、本願請求項２に係る発明は、前記固定ロッドに、前記電源コードを受けるための彎曲部を形成することを特徴とするものである。
【０００５】
【作用】
モータハウジングの収納室へモータ制御用センサを収納した後、収納室へモータ制御用センサに当接する固定ロッドを挿入する一方、収納室の開放部を跨ぐように電源コードを組み付けて固定ロッドを抜け止めすることで、収納室の開放部が閉塞されるから、モータ制御用センサは電源コードの組み付けと同時に収納室へ固定されることとなり、組付け手順が省略される。
又、電源コードで開放部を閉塞するため、モータ制御用センサは電源コードの弾性によって固定されるから、振動や衝撃が緩和されてリード線の断線が生じにくくなる。
【０００６】
【実施例】
以下本発明の実施例を図面に基づいて説明する。
図１は電動ハンマー１の一部縦断面図で、モータハウジング２に収納されるモータ３の回転は、モータ軸３ａと噛合して回転するクランク３１と、そのクランク３１へ突設された偏心ピン３２と、偏心ピン３２をニードルベアリング３３によって軸支するクランクロッド３４とからなるクランク機構３０によって、クランクロッド３４先端に連結されたピストン３５の往復動へ変換される。ピストン３５はシリンダ３６内において空気室３７を介して打撃子３８を連動させ、打撃子３８が、中間子３９を介して工具先端に装着されたビット４０へ打撃動作を与えるものである。
又前記モータハウジング２のボールベアリング２ａに軸支される前記モータ軸３ａの後端には、偏心位置にマグネット５を埋め込んだ絶縁ワッシャー４が一体に固定される一方、モータハウジング２には、モータ軸３ａの直交方向に、モータ制御用センサとしてのピックアップコイル７の収納室６が設けられており、この収納室６上方の開放部６ａからピックアップコイル７を挿入し、底部６ｂまで押し込むと、ピックアップコイル７の検知面７ａが前記絶縁ワッシャー４の外周面に近接するようになっている。そして８は、収納されたピックアップコイル７へ当接してピックアップコイル７を収納室６に固定する固定ロッドで、この固定ロッド８は、図２に示す如く、収納室６への挿入状態で、モータハウジング２に突設された電源コード１７の受部１２の一部となるように上部へ彎曲部９を形成すると共に、その前後両面には夫々一対のピン１０，１０が突設されて、同じく収納室６への挿入状態で、モータハウジング２のクランク側へ立設された固定片１３両側の凹部１４，１４に、片面側のピン１０，１０が嵌合して位置決めがなされるもので、更に固定ロッド８の下部は上記彎曲部９より幅の小さい細身部１１とされて、収納室６との隙間からピックアップコイル７のリード線１６，１６が引き出され、モータハウジング２の取付座１５ａへ載置されるコントローラ１５に接続されるようになっている。
一方前記電源コード１７は、工具本体との連結部分でコードガード１８が装着されて、コードガード１８の大径部１８ａが、前記受部１２の後方に形成された半割の把持部１９と、モータハウジング２へ披着されるコントローラカバー２０に設けられた半割の把持部２１とで挟持されると共に、電源コード１７が、受部１２の上方からネジ２２，２２で緊締されるコードクランプ２３によって挟持固定されるものである。
尚２４はコントローラ１５に接続され、モータ３の回転スピードを調整するダイヤル、２５ａ，２５ｂは夫々、ハンドル２６の一端とコントローラカバー２０とをクランクハウジング３１ａへ、ハンドル２６の他端とコントローラカバー２０とをモータハウジング２へ固定するボルトである。
【０００７】
以上の如く構成された電動ハンマー１は、モータハウジング２の収納室６にピックアップコイル７を収め、固定ロッド８を、固定片１３の凹部１４，１４に片面のピン１０，１０が嵌合するまで押し込む。そして電源コード１７とコードガード１８とを夫々受部１２と把持部１９に載せて、コードクランプ２３をネジ止めすれば、図３の如く、固定された電源コード１７で固定ロッド８が抜け止めされ、ピックアップコイル７も固定ロッド８によって収納室６の底部６ｂに固定される。次にコントローラ１５を取付座１５ａに載置し、ダイヤル２４を装着したコントローラカバー２０を被せてコードガード１８を挟持し、最後にハンドル２６を装着してボルト２５ａ，２５ｂを緊締すると、組み付けは完了する。このようにピックアップコイル７と固定ロッド８は収納室６へ挿入するだけで良く、続いて行われる電源コード１７の装着作業によって開放部６ａが閉塞されてピックアップコイル７が固定されるから、組付け手順が省略できるのである。
そしてスイッチ２０ａのＯＮ操作によってモータ３が作動するが、このときモータ軸３ａと一体に回転する絶縁ワッシャー４に埋め込まれたマグネット５の磁界の変化をピックアップコイル７が検知して、そのパルス数をコントローラ１５へ送り、コントローラ１５が、検知される回転数がダイヤル２４で指示された回転数と一致するように、モータ３への電圧を調整するものとなる。又モータ３の作動によりクランク機構３０を介してピストン３５が往復動し、前述のように打撃子３８が中間子３９を打撃してビット４０へ打撃が加えられ、その衝撃はピックアップコイル７側へも伝わるが、ここでは固定ロッド８を抑える電源コード１７に弾性があるから、衝撃によるリード線１６，１６への負担を和らげて断線を抑えることができる。
【０００９】
【発明の効果】
以上本発明のよれば、ピックアップコイル等のモータ制御用センサの組付けが簡単且つ合理的に行えるから、生産性が向上し、部品点数も省略できてコスト低減が可能となる。
更に収納室の開放部を電源コードで閉塞しているから、モータ制御用センサが弾性のある電源コードで固定されて、衝撃、振動が緩和され、断線を防止できる。
【図面の簡単な説明】
【図１】電動ハンマーの一部縦断面図である。
【図２】ピックアップコイルの取付構造の説明図である。
【図３】ピックアップコイルの取付状態の説明図である。
【符号の説明】
１・・電動ハンマー、２・・モータハウジング、３・・モータ、４・・絶縁ワッシャー、５・・マグネット、６・・収納室、７・・ピックアップコイル、８・・固定ロッド、９・・彎曲部、１０・・ピン、１１・・細身部、１２・・受部、１３・・固定片、１４・・凹部、１５・・コントローラ、１６・・リード線、１７・・電源コード、１８・・コードガード、１９，２１・・把持部、２２・・ネジ、２３・・コードクランプ、２４・・ダイヤル、２５ａ，２５ｂ・・ボルト、２６・・ハンドル。
【図１】
0003597585.tif 000002
【図２】
0003597585.tif 000003
【図３】
0003597585.tif 000004